【手続補正書】
【提出日】平成15年8月28日(2003.8.28)
【手続補正１】
【補正対象書類名】明細書
【補正対象項目名】発明の名称
【補正方法】変更
【補正の内容】
【発明の名称】アクティブマトリクス基板と表示装置


【手続補正２】
【補正対象書類名】明細書
【補正対象項目名】特許請求の範囲
【補正方法】変更
【補正の内容】
【特許請求の範囲】
【請求項１】
複数の走査線と、
前記複数の走査線と交差する方向に延設された複数のデータ線と、
複数の共通給電線と、
前記複数のデータ線と前記複数の走査線とによりマトリクス状に形成された複数の画素と、を有し、
前記複数の画素の各々は、
画素電極と、
ゲート電極を備え、前記複数の走査線のうち対応する走査線を介して走査信号が前記ゲート電極に供給される第１のトランジスタと、
前記複数のデータ線のうち対応するデータ線及び前記第１のトランジスタを介して供給される画像信号に応じて、前記複数の共通給電線のうち対応する共通給電線と前記画素電極との電気的な接続の制御を行う第２のトランジスタと、
前記第２のトランジスタを介して前記対応する共通給電線と前記画素電極とが電気的に接続したときに前記画素電極に対向する対向電極との間に流れる駆動電流によって発光する発光素子と、を備え、
前記複数の共通給電線のうち一つの共通給電線は、前記複数の画素のうち、当該一つの共通給電線の両側に当該一つの共通給電線に沿って配置された２列の画素に前記駆動電流を供給すること、
を特徴とする表示装置。
【請求項２】
請求項１に記載の表示装置において、
前記２列の画素のうち一方の列の画素に含まれる前記第１のトランジスタ及び前記第２のトランジスタと、他方の列の画素に含まれる前記第１のトランジスタ及び前記第２のトランジスタと、は当該一つの共通給電線を中心に線対称に配置されていること、
を特徴とする表示装置。
【請求項３】
請求項１または２に記載の表示装置において、
前記複数の共通給電線は、前記複数の走査線に交差する方向に設けられていること、
を特徴とする表示装置。
【請求項４】
請求項１乃至３のいずれかに記載の表示装置において、
前記発光素子は、前記画素電極と前記対向電極との間に配置された有機半導体膜を備え、
前記有機半導体膜は前記駆動電流によって発光すること、
を特徴とする表示装置。
【請求項５】
請求項４に記載の表示装置において、
前記複数の走査線の延設方向に沿って隣接する２つの前記画素に対して設けられた前記有機半導体膜の形成された領域の中心間の距離により定義されるとピッチが全て等しいこと、
を特徴とする表示装置。
【請求項６】
請求項４または５に記載の表示装置において、
前記有機半導体膜は、絶縁膜からなるバンク層で囲まれていること、
を特徴とする表示装置。
【請求項７】
請求項６に記載の表示装置において、
前記バンク層は、前記複数のデータ線および前記複数の共通給電線を覆うように構成されていること、
を特徴とする表示装置。
【請求項８】
請求項４乃至７のいずれかに記載の表示装置において、
前記有機半導体膜は、インクジェット法により形成された膜であること、
を特徴とする表示装置。
【請求項９】
請求項３に記載の表示装置において、
前記２列の画素のうち各列の画素に対して当該一つの共通給電線の反対側にはデータ線が位置していること、
を特徴とする表示装置。
【請求項１０】
請求項１乃至９のいずれかに記載の表示装置において、
前記複数の画素のうち前記複数の走査線の延設方向に配列した画素の間には前記複数の共通給電線及び前記複数のデータ線のいずれかが設けられていること、
を特徴とする表示装置。
【請求項１１】
請求項１乃至９のいずれかに記載の表示装置において、
前記複数の画素のうち、ある画素と当該ある画素と前記複数の走査線に沿った方向で２つの隣接する画素のうち一方の画素との間には前記複数の共通給電線のうち対応する共通給電線が設けられ、
当該ある画素と当該２つの隣接する画素のうち他方との間には前記複数のデータ線のうち対応するデータ線が設けられていること、
を特徴とする表示装置。
【請求項１２】
請求項１乃至１１のいずれかに記載の表示装置において、
前記複数の画素のうち、ある画素と当該ある画素と前記複数の走査線に沿った方向で２つの隣接する画素のうち一方の画素との間には前記複数の共通給電線のうち対応する共通給電線が設けられ、
当該ある画素と当該２つの隣接する画素のうち他方の画素との間には前記複数のデータ線のうち２本のデータ線が設けられていること、
を特徴とする表示装置。
【請求項１３】
請求項１２に記載の表示装置において、
前記２本のデータ線の間に相当する位置には配線層が形成されていること、
を特徴とする表示装置。
【請求項１４】
請求項１２または１３に記載の表示装置において、
前記２本のデータ線を介して供給される画像信号のサンプリングは同一タイミングで行われること、
を特徴とする表示装置。
【請求項１５】
複数の走査線と、
前記複数の走査線と交差する方向に延設された複数のデータ線と、
複数の共通給電線と、
前記複数のデータ線と前記複数の走査線とによりマトリクス状に形成された複数の画素電極と、
各々のゲート電極が前記複数の走査線のうち対応する走査線に接続された複数の第１のトランジスタと、
各々のソースあるいはドレインが前記複数の画素電極のうち対応する画素電極に接続された複数の第２のトランジスタと、を備え、
前記複数の共通給電線のうち一つの共通給電線は、前記複数の第２のトランジスタのうち、当該一つの共通給電線の両側に当該一つの共通給電線に沿って配置された２列分の第２のトランジスタに接続されていること、
を特徴とするアクティブマトリクス基板。
【請求項１６】
複数の走査線と、
前記複数の走査線と交差する方向に延設された複数のデータ線と、
複数の共通給電線と、
前記複数のデータ線と前記複数の走査線とによりマトリクス状に形成された複数の画素電極と、を含み、
前記複数の画素電極のうち、ある画素電極と当該ある画素電極と前記複数の走査線に沿った方向で２つの隣接する画素電極のうち一方の画素電極との間には前記複数の共通給電線のうち対応する共通給電線が設けられ、
当該ある画素電極と当該２つの隣接する画素電極のうち他方の画素電極との間には前記複数のデータ線のうち２つのデータ線が設けられていること、
を特徴とするアクティブマトリクス基板。
【請求項１７】
請求項１５または１６に記載のアクティブマトリクス基板と、
前記複数の画素電極と前記複数の画素電極に対向する対向電極との間に駆動電流が流れることにより発光する複数の発光素子と、を有する表示装置。
【手続補正３】
【補正対象書類名】明細書
【補正対象項目名】０００８
【補正方法】変更
【補正の内容】
【０００８】
【課題を解決するための手段】
本発明の表示装置は、複数の走査線と、前記複数の走査線と交差する方向に延設された複数のデータ線と、複数の共通給電線と、前記複数のデータ線と前記複数の走査線とによりマトリクス状に形成された複数の画素と、を有し、前記複数の画素の各々は、画素電極と、
ゲート電極を備え、前記複数の走査線のうち対応する走査線を介して走査信号が前記ゲート電極に供給される第１のトランジスタと、前記複数のデータ線のうち対応するデータ線及び前記第１のトランジスタを介して供給される画像信号に応じて、前記複数の共通給電線のうち対応する共通給電線と前記画素電極との電気的な接続の制御を行う第２のトランジスタと、前記第２のトランジスタを介して前記対応する共通給電線と前記画素電極とが電気的に接続したときに前記画素電極に対向する対向電極との間に流れる駆動電流によって発光する発光素子と、を備え、前記複数の共通給電線のうち一つの共通給電線は、前記複数の画素のうち、当該一つの共通給電線の両側に当該一つの共通給電線に沿って配置された２列の画素に前記駆動電流を供給すること、を特徴とする


【手続補正４】
【補正対象書類名】明細書
【補正対象項目名】００１０
【補正方法】変更
【補正の内容】
【００１０】
上記の表示装置において、前記２列の画素のうち一方の列の画素に含まれる前記第１のトランジスタ及び前記第２のトランジスタと、他方の列の画素に含まれる前記第１のトランジスタ及び前記第２のトランジスタと、は当該一つの共通給電線を中心に線対称に配置されていることが好ましい。
上記の表示装置において、前記複数の共通給電線は、前記複数の走査線に交差する方向に設けられていてもよい。
上記の表示装置において、前記発光素子は、前記画素電極と前記対向電極との間に配置された有機半導体膜を備え、前記有機半導体膜は前記駆動電流によって発光することが好ましい。
上記の表示装置において、前記複数の走査線の延設方向に沿って隣接する２つの前記画素に対して設けられた前記有機半導体膜の形成された領域の中心間の距離により定義されるとピッチが全て等しいことが好ましい。
上記の表示装置において、前記有機半導体膜は、絶縁膜からなるバンク層で囲まれていることが好ましい。
上記の表示装置において、前記バンク層は、前記複数のデータ線および前記複数の共通給電線を覆うように構成されていることが好ましい。


【手続補正５】
【補正対象書類名】明細書
【補正対象項目名】００１１
【補正方法】変更
【補正の内容】
【００１１】
上記の表示装置において、前記有機半導体膜は、インクジェット法により形成された膜であってもよい。
上記の表示装置において、前記２列の画素のうち各列の画素に対して当該一つの共通給電線の反対側にはデータ線が位置していることが好ましい。
上記の表示装置において、前記複数の画素のうち前記複数の走査線の延設方向に配列した画素の間には前記複数の共通給電線及び前記複数のデータ線のいずれかが設けられてけられていてもよい。、
上記の表示装置において、前記複数の画素のうち、ある画素と当該ある画素と前記複数の走査線に沿った方向で２つの隣接する画素のうち一方の画素との間には前記複数の共通給電線のうち対応する共通給電線が設けられ、当該ある画素と当該２つの隣接する画素のうち他方との間には前記複数のデータ線のうち対応するデータ線が設けられていてもよい。
上記の表示装置において、前記複数の画素のうち、ある画素と当該ある画素と前記複数の走査線に沿った方向で２つの隣接する画素のうち一方の画素との間には前記複数の共通給電線のうち対応する共通給電線が設けられ、当該ある画素と当該２つの隣接する画素のうち他方の画素との間には前記複数のデータ線のうち２つのデータ線が設けられていてもよい。
上記の表示装置において、前記２本のデータ線の間に相当する位置には配線層が形成されていてもよい。
上記の表示装置において、前記２本のデータ線を介して供給される画像信号のサンプリングは同一タイミングで行われることが好ましい。


【手続補正６】
【補正対象書類名】明細書
【補正対象項目名】００１２
【補正方法】変更
【補正の内容】
【００１２】
本発明の第１のアクティブマトリクス基板は、複数の走査線と、前記複数の走査線と交差する方向に延設された複数のデータ線と、複数の共通給電線と、前記複数のデータ線と前記複数の走査線とによりマトリクス状に形成された複数の画素電極と、各々のゲート電極が前記複数の走査線のうち対応する走査線に接続された複数の第１のトランジスタと、各々のソースあるいはドレインが前記複数の画素電極のうち対応する画素電極に接続された複数の第２のトランジスタと、を備え、前記複数の共通給電線のうち一つの共通給電線は、前記複数の第２のトランジスタのうち、当該一つの共通給電線の両側に当該一つの共通給電線に沿って配置された２列分の第２のトランジスタに接続されていること、を特徴とする。本発明の第２のアクティブマトリクス基板は、複数の走査線と、前記複数の走査線と交差する方向に延設された複数のデータ線と、複数の共通給電線と、前記複数のデータ線と前記複数の走査線とによりマトリクス状に形成された複数の画素電極と、を含み、前記複数の画素電極のうち、ある画素電極と当該ある画素電極と前記複数の走査線に沿った方向で２つの隣接する画素電極のうち一方の画素電極との間には前記複数の共通給電線のうち対応する共通給電線が設けられ、当該ある画素電極と当該２つの隣接する画素電極のうち他方の画素電極との間には前記複数のデータ線のうち２つのデータ線が設けられていること、を特徴とする。
上記のアクティブマトリクス基板と、前記複数の画素電極と前記複数の画素電極に対向する対向電極との間に駆動電流が流れることにより発光する複数の発光素子と、により表示装置を構成することができる。